(57)【要約】【課題】  上位コンピュータを必要とすることなく、簡単な構成で基板の品種に対応した段取り替えを適正に実行できるようにする。【解決手段】  基板の搬送ラインに沿って部品実装機等からなる複数の作業機が配設されるとともに、上記搬送ラインの最上流側に設置された作業機に搬入される基板の品種情報を検出する品種情報検出手段１を備え、この品種情報検出手段１により検出される基板の品種に応じて作業機の段取り替えを行う必要があるか否かを判定する判定手段１５と、この判定手段１５により段取り替えを行う必要があると判定された場合に、作業機の段取り替えを自動的に実行する段取り替え制御手段１６とを各作業機にそれぞれ設けたことを特徴とする実装基板製造装置およびその段取り替え方法。【選択図】  図２
2005216957.tif 000002
【特許請求の範囲】
【請求項１】
基板の搬送ラインに沿って部品実装機等からなる複数の作業機が配設された実装基板製造装置の段取り替え方法であって、上記搬送ラインの最上流側に設置された作業機に搬入される基板の品種情報を検出する検出工程と、この検出工程で検出される基板の品種情報に基づいて各作業機の段取り替えを行う必要があるか否かを作業機毎に判定する判定工程と、この判定工程で各作業機の段取り替えを行う必要があると判定された場合に、各作業機の段取り替えを行う段取り替え工程とを備えたことを特徴とする実装基板製造装置の段取り替え方法。
【請求項２】
検査工程で検出された基板の品種情報と、最上流側の作業機内に存在する基板の品種情報とを判定工程で比較することにより上記最上流側の作業機の段取り替えを行う必要があるか否かを判定するとともに、上流側の作業機から情報通信手段を介して下流側の作業機に送信された基板の品種情報と、下流側の作業機内に存在する基板の品種情報とを判定工程で比較することにより上記下流側の作業機の段取り替えを行う必要があるか否かを判定することを特徴とする請求項１に記載の実装基板製造装置の段取り替え方法。
【請求項３】
判定工程で作業機の段取り替えを行う必要があると判定された場合に、作業機内に存在する基板に対する作業が終了し、かつこの基板の搬出が終了した後に上記作業機の段取り替えを行うことを特徴とする請求項１または２に記載の実装基板製造装置の段取り替え方法。
【請求項４】
基板の搬送ラインに部品実装機等からなる複数の作業機が配設されるとともに、上記搬送ラインの最上流側に設置された作業機に搬入される基板の品種情報を検出する品種情報検出手段を備えた実装基板製造装置であって、上記品種情報検出手段により検出される基板の品種に応じて作業機の段取り替えを行う必要があるか否かを判定する判定手段と、この判定手段により段取り替えを行う必要があると判定された場合に、作業機の段取り替えを自動的に実行する段取り替え制御手段とを各作業機にそれぞれ設けたことを特徴とする実装基板製造装置。
【請求項５】
上流側の作業機から下流側の作業機に基板の品種情報を送信する情報通信手段を備え、最上流側の作業機には、品種情報検出手段により検出された基板の品種情報と最上流側の作業機内に存在する基板の品種情報とを比較することにより上記最上流側の作業機の段取り替えを行う必要があるか否かを判定する判定手段が設けられるとともに、下流側の作業機には、上流側の作業機から上記情報通信手段を介して送信された基板の品種情報と下流側の作業機内に存在する基板の品種情報とを比較することにより上記下流側の作業機の段取り替えを行う必要があるか否かを判定する判定手段が設けられたことを特徴とする請求項４に記載の実装基板製造装置。
【請求項６】
段取り替え制御手段は、判定手段により段取り替えを行う必要があると判定された場合に、作業機内に存在する基板に対する作業が終了し、かつこの基板の搬出が終了した後に作業機の段取り替えを行うように構成されたことを特徴とする請求項４または５に記載の実装基板製造装置。
【請求項７】
品種情報検出手段は、基板に付された品種情報を読み取ることにより基板の品種情報を検出するように構成されたことを特徴とする請求項４乃至６の何れか１項に記載の実装基板製造装置。
【請求項８】
品種情報検出手段は、作業者の入力操作に応じて基板の品種情報を検出するように構成されたことを特徴とする請求項４乃至６の何れか１項に記載の実装基板製造装置。
【発明の詳細な説明】
【技術分野】
【０００１】
本発明は、基板の搬送ラインに沿って複数台の部品実装機が配設され、あるいはこの部品実装機、スクリーン印刷機、ディスペンサー等もしくは基板検査機等からなる複数台の作業機が所定の順序で配設された実装基板製造装置の段取り替え方法および実装基板製造装置に関するものである。
【背景技術】
【０００２】
従来、基板の搬送ラインに沿って複数の作業機が配設された実装基板製造装置において、基板の品種が変化した場合に、現在作業中の基板の搬出が終了した時点で、装置を停止して作業者が基板の品種に対応した生産プログラムを手動で選択することにより、各作業機の搬送レール幅を調整する等の段取り替えを行っていた。しかし、上記のように装置を停止した状態で作業者のプログラム選択に応じて作業機の段取り替えを行うように構成した場合には、実装基板製造装置の停止時間および待機時間が長くなるために生産効率を向上させることができないとともに、作業者の操作ミスによる不良品が生産される可能性があるという問題がある。
【０００３】
このため、例えば下記特許文献１に示されるように、プリント基板への部品の組立工程において、生産に必要な各種データの切り替え、搬送レール幅の調整などの段取り替え作業を行う実装機において、段取り替えする時期がわかる手段を用いて現在生産中の生産計画の完了を判断し、実装機自身が生産計画を参照しながら単独で切り替えを行うように構成することにより、複数の実装機を統括して制御する上位コンピュータの負荷を少なくするとともに、上位コンピュータと実装機との間における信号のやりとりを少なくして段取り替え時間を短縮化できるようにした自動段取り替え機能付き実装機が開発されている。
【特許文献１】特許第２８８５４８３号公報
【発明の開示】
【発明が解決しようとする課題】
【０００４】
上記特許文献１に示されるように実装機自身が生産計画を参照しながら単独で切り替えを行うように構成した場合には、複数の実装機を統括して制御する上位コンピュータの負荷を少なくするとともに、この上位コンピュータと実装機との間における信号のやりとりを少なくすることにより、プリント基板に装着される部品の種類の変化に対応した段取り替えに要する時間を、ある程度短縮化することが可能であるという利点を有する反面、上記上位コンピュータを必要とするために設備コストを効果的に低廉化することができないという問題がある。
【０００５】
本発明は、上記の点に鑑みてなされたものであり、上位コンピュータを必要とすることなく、簡単な構成で基板の品種に対応した段取り替えを適正に行わせることができる実装基板製造装置の段取り替え方法および実装基板製造装置を提供することを目的としている。
【課題を解決するための手段】
【０００６】
上記の問題を解決するため、請求項１に係る発明は、基板の搬送ラインに沿って部品実装機等からなる複数の作業機が配設された実装基板製造装置の段取り替え方法であって、上記搬送ラインの最上流側に設置された作業機に搬入される基板の品種情報を検出する検出工程と、この検出工程で検出された基板の品種情報に基づいて各作業機の段取り替えを行う必要があるか否かを作業機毎に判定する判定工程と、この判定工程で各作業機の段取り替えを行う必要があると判定された場合に、各作業機の段取り替えを行う段取り替え工程とを有するものである。
【０００７】
また、請求項２に係る発明は、上記請求項１に記載の実装基板製造装置の段取り替え方法において、検査工程で検出された基板の品種情報と、最上流側の作業機内に存在する基板の品種情報とを判定工程で比較することにより上記最上流側の作業機の段取り替えを行う必要があるか否かを判定するとともに、上流側の作業機から情報通信手段を介して下流側の作業機に送信された基板の品種情報と、下流側の作業機内に存在する基板の品種情報とを判定工程で比較することにより上記下流側の作業機の段取り替えを行う必要があるか否かを判定するものである。
【０００８】
また、請求項３に係る発明は、上記請求項１または２に記載の実装基板製造装置の段取り替え方法において、判定工程で作業機の段取り替えを行う必要があると判定された場合に、作業機内に存在する基板に対する作業が終了し、かつこの基板の搬出が終了した後に上記作業機の段取り替えを行うものである。
【０００９】
請求項４に係る発明は、基板の搬送ラインに沿って部品実装機等からなる複数の作業機が配設されるとともに、上記搬送ラインの最上流側に設置された作業機に搬入される基板の品種情報を検出する品種情報検出手段を備えた実装基板製造装置であって、上記品種情報検出手段により検出された基板の品種に応じて作業機の段取り替えを行う必要があるか否かを判定する判定手段と、この判定手段により段取り替えを行う必要があると判定された場合に、作業機の段取り替えを自動的に実行する段取り替え制御手段とを各作業機にそれぞれ設けたものである。
【００１０】
また、請求項５に係る発明は、上記請求項４に記載の実装基板製造装置において、上流側の作業機から下流側の作業機に基板の品種情報を送信する情報通信手段を備え、最上流側の作業機には、品種情報検出手段により検出された基板の品種情報と最上流側の作業機内に存在する基板の品種情報とを比較することにより上記最上流側の作業機の段取り替えを行う必要があるか否かを判定する判定手段が設けられるとともに、下流側の作業機には、上流側の作業機から上記情報通信手段を介して送信された基板の品種情報と下流側の作業機内に存在する基板の品種情報とを比較することにより上記下流側の作業機の段取り替えを行う必要があるか否かを判定する判定手段が設けられたものである。
【００１１】
また、請求項６に係る発明は、上記請求項４または５に記載の実装基板製造装置において、段取り替え制御手段が、上記判定手段により段取り替えを行う必要があると判定された場合に、作業機内に存在する基板に対する作業が終了し、かつこの基板の搬出が終了した後に作業機の段取り替えを行うように構成されたものである。
【００１２】
請求項７に係る発明は、請求項４乃至６の何れか１項に記載の実装基板製造装置において、品種情報検出手段が、基板に付された品種情報を読み取ることにより基板の品種情報を検出するように構成されたものである。
【００１３】
請求項８に係る発明は、請求項４乃至６の何れか１項に記載の実装基板製造装置において、品種情報検出手段が、作業者の入力操作に応じて基板の品種情報を検出するように構成されたものである。
【発明の効果】
【００１４】
上記請求項１，４に係る発明によれば、基板の搬送ラインに沿って複数の作業機が配設された実装基板製造装置において、最上流側に設置された作業機に搬入される基板の品種情報に基づき、各作業機の段取り替えを行う必要があるか否かをそれぞれ判定するように構成したため、各作業機を統括して制御する上位コンピュータを必要とすることなく、基板の品種に対応した段取り替えを迅速かつ適正に実行することができる。
【００１５】
上記請求項２，５に係る発明によれば、最上流側に位置する作業機に搬入される基板の品種情報を検出して順次下流側に送信することにより、全ての作業機における段取り替えを適正時期に実行できるという利点がある。
【００１６】
上記請求項３，６に係る発明によれば、作業機内に前の基板が存在した状態で新たな基板に対応した段取り替えが行われるという不都合を生じることなく、自作業機内に搬入される新な基板に対応した段取り替えを適正に実行し、この基板に対する部品の実装作業等を迅速に実行することができる。
【発明を実施するための最良の形態】
【００１７】
図１は、本発明の実施形態に係る実装基板製造装置の一例を概略的に示し、この基板搬送装置には、品種情報検出手段１を備えた基板搬入機２が設置されている。この基板搬入機２の下流側には、はんだ粉末とペースト状フラックスとの混合物からなるソルダーペーストを基板３に対して塗布するスクリーン印刷機４と、部品の実装処理前にクリームはんだ等を基板３上に塗布するディスペンサー５と、ＩＣ、トランジスタまたはコンデンサ等からなる小片状の部品を基板３に対して実装する３台の部品実装機６と、部品実装後の後処理を行うリフロー炉７とからなる複数の作業機が基板３の搬送ラインに沿って順次配列され、かつその下流側には基板搬出機８が配設されている。
【００１８】
上記各作業機には、図２および図３に示すように、基板３の品種に対応した段取り替えを自動的に実行する段取り替え機構９と、パーソナルコンピュータ等からなる制御ユニット１０とが設けられている。また、上記搬送ラインの最上流側に配設されたスクリーン印刷機４には、自設備内に基板３が連続して搬入される場合に、その搬入予定枚数を入力するとともに、自設備内に搬入される新たな品種の基板３を予約する入力機能を有する入力手段１１が設けられている。
【００１９】
上記段取り替え機構９は、例えば各作業機に設けられた一対の基板搬送コンベアの一方（可動コンベア）を移動させることにより、両基板搬送コンベアの間隔を変化させるモータ駆動機構等からなるアクチュエータを備えた駆動機構、あるいは基板３を係止するバックアップピン（図示せず）の設置位置を変更するアクチュエータを備えた駆動機構等からなっている。
【００２０】
上記スクリーン印刷機４に設けられた制御ユニット１０は、同軸ケーブルまたは光ファイバーを使用したＬＡＮ（Ｌｏｃａｌ  Ａｒｅａ  Ｎｅｔｗｏｒｋ）等からなる情報通信手段１２を介して上記基板搬入機２と接続されるとともに、情報通信手段１２を介して下流側の作業機、つまり上記ディスペンサー５と接続されている（図２参照）。また、上記スクリーン印刷機４の下流側に配設された各作業機、つまり上記ディスペンサー５、部品実装機６およびリフロー炉７に設けられた制御ユニット１０は、情報通信手段１２を介して上流側の作業機および下流側の作業機と接続されている（図３参照）。
【００２１】
上記品種情報検出手段１は、基板搬入機２において基板３を収納する基板ラックが新たに装着されたことを検出する検出情報を受けた後、あるいは新たな基板ラックの装着があったことを知らせる作業者の入力の後、基板搬入機２から最初に搬送される基板３に付されたバーコード、ＱＲコードまたはデータマトリックス等からなるＩＤ情報を読み取ることにより、上記搬送ラインの最上流側に設置された作業機、つまり上記スクリーン印刷機４に搬入される基板３の品種情報を検出し、この品種情報を上記スクリーン印刷機４の制御ユニット１０に、主に有線あるいは無線の通信線からなる情報通信手段１２を介して送信するように構成されている。
【００２２】
上記各作業機の制御ユニット１０には、情報通信手段１２を介して送信された基板３の品種情報等を記憶する記憶手段１４と、上記基板３の品種情報に基づいて自設備の段取り替えを行う必要があるか否かを判定する判定手段１５と、この判定手段１５により自設備の段取り替えを行う必要があると判定された場合に、自設備の段取り替えを自動的に行うように上記段取り替え機構９を制御するとともに、所定時期に上記情報通信手段１２を介して下流側の作業機に基板３の品種情報を送信するように制御する段取り替え制御手段１６とを有している。
【００２３】
上記判定手段１５は、情報通信手段１２を介して送信された基板３の品種情報に基づき、次に自設備内に搬入される基板３に対して作業を実行する際に使用される生産プログラムの名称を読み出し、このプログラム名と、現在使用中の生産プログラムの名称とが異なっている場合、または始動時等において現在使用中の生産プログラムが存在しないことが確認された場合に、自設備の段取り替えを行う必要があると判定し、この判定信号を段取り替え制御手段１６に出力するようになっている。
【００２４】
そして、上記判定手段１５において自設備の段取り替えを行う必要があると判定された場合には、基板３の幅寸法に対応させて基板搬送コンベアの設置間隔を変更するとともに、基板３の大きさに対応させて部品実装機６等に設けられたバックアップピン（図示せず）の設置位置を変更し、あるいはリフロー炉７における温度プロファイルを変更する等の段取り替えが段取り替え制御手段１６において実行されるとともに、自設備内の基板３を下流側の作業機に搬出する際に、その基板３の品種情報が上記情報通信手段１２を介して下流側の作業機に送信されように構成されている。
【００２５】
上記搬送ラインの最上流側に配設された作業機（当実施形態ではスクリーン印刷機４）において実行される段取り替えの制御動作を、図４に示すフローチャートに基づいて説明する。この制御動作がスタートすると、品種情報検出手段１から送信された次の基板３の品種情報を入力した後（ステップＳ１）、この基板３の品種情報を記憶手段１４に記憶させる（ステップＳ２）。次いで、上記入力手段１１を使用した搬入予定枚数の入力が行われた否かを判定し（ステップＳ３）、ＹＥＳと判定された場合には、上記搬入予定枚数を記憶手段１４に記憶させる（ステップＳ４）。
【００２６】
そして、記憶手段１４から上記基板３の品種情報に対応した生産プログラム名を読み出し（ステップＳ５）、この生産プログラム名と現在使用中の生産プログラム名とを比較する等により、スクリーン印刷機４の段取り替えを行う必要があるか否かを判定する（ステップＳ６）。
【００２７】
上記ステップＳ６でＹＥＳと判定され、新たな基板３に対応した生産プログラムと、現在使用中の生産プログラムとが相違していることが確認された場合、または現在使用中の生産プログラムが存在しないことが確認された場合には、段取り替えを指示する制御信号を上記段取り替え機構９に出力して上記段取り替えを行った後（ステップＳ７）、基板３に対する作業、つまりスリーン印刷機４の場合はソルダーペーストを基板３に塗布する作業を実行する（ステップＳ８）。なお、上記ステップＳ６でＮＯと判定され、新たな基板３に実行される生産プログラムと、現在使用中の生産プログラムとが同一であることが確認された場合には、上記段取り替えを行わせることなくステップＳ８に移行する。
【００２８】
また、上記基板３の品種情報を下流側の作業機であるディスペンサー５に出力した後（ステップＳ９）、このディスペンサー５から基板３の搬入許可信号が出力されたか否かを判定し（ステップＳ１０）、ＹＥＳと判定された時点で、下流側のディスペンサー５に基板３を搬出する（ステップＳ１１）。次いで、作業者による搬入予定枚数の設定が行われているか否かを判定し（ステップＳ１２）、ＹＥＳと判定された場合には、予定枚数の基板３に対する作業が終了したか否かを判定し（ステップＳ１３）、ＮＯと判定された場合には、上記ステップＳ８にリターンして同一品種の基板３に対する作業および基板３の搬出動作等を繰り返す。
【００２９】
上記ステップＳ１３でＹＥＳと判定されて搬入予定枚数の基板３に対する作業が終了したことが確認された場合には、次品種の予約、つまり新たな品種の基板３の搬入予約があるか否かを判定し（ステップＳ１４）、ＹＥＳと判定された場合には、上記ステップＳ２に移行して新た品種の基板３に対する作業を繰り返す。上記ステップＳ１４でＮＯと判定されて新たな品種の基板３の搬入予約がないことが確認された場合には、基板製造作業が終了したか否かを判定する（ステップＳ１５）。このステップＳ１５でＮＯと判定された場合には、上記ステップＳ１にリターンして上記作業を繰り返し、上記ステップＳ１５でＹＥＳと判定された時点で基板製造作業を終了する。
【００３０】
また、上記ステップＳ１２でＮＯと判定されて搬入予定枚数の設定が行われていないことが確認された場合には、次品種の予約、つまり新たな品種の基板３の搬入予約があるか否かを判定し（ステップＳ１６）、ＹＥＳと判定された場合には、上記ステップＳ２に移行して新た品種の基板３に対する作業を繰り返す。上記ステップＳ１６でＮＯと判定されて新たな品種の基板３の搬入予約がないことが確認された場合には、基板製造作業が終了したか否かを判定する（ステップＳ１７）。このステップＳ１７でＮＯと判定された場合には、上記ステップＳ８にリターンして同一品種の基板３に対する作業を繰り返し、上記ステップＳ１７でＹＥＳと判定された時点で基板製造作業を終了する。
【００３１】
次に、スクリーン印刷機４の下流側に配設された作業機において実行される段取り替えの制御動作を、図５に示すフローチャートに基づいて説明する。この制御動作がスタートすると、上流側の作業機から送信された次の基板３の品種情報を入力した後（ステップＳ２１）、この基板３の品種情報を記憶手段１４に記憶させる（ステップＳ２２）。次いで、記憶手段１４から上記基板３の品種情報に対応した生産プログラム名を読み出し（ステップＳ２３）、この生産プログラム名と現在使用中の生産プログラム名とを比較する等により、自設備の段取り替えを行う必要があるか否かを判定する（ステップＳ２４）。
【００３２】
上記ステップＳ２４でＹＥＳと判定され、新たな基板３に対応した生産プログラムと、現在使用中の生産プログラムとが相違していることが確認された場合等には、段取り替えを指示する制御信号を上記段取り替え機構９に出力して段取り替えを行った後（ステップＳ２５）、新たな基板３に対する作業、つまりクリームはんだの塗布作業（ディスペンサー５の場合）、部品の実装作業（部品実装機６の場合）、または部品実装後の後処理（リフロー炉７の場合）を実行する（ステップＳ２６）。なお、上記ステップＳ２５でＮＯと判定され、新たな基板３に実行される生産プログラムと、現在使用中の生産プログラムとが同一であることが確認された場合には、上記段取り替えを行わせることなくステップＳ２６に移行する。
【００３３】
また、新たな基板３の品種情報を下流側の作業機に出力した後（ステップＳ２７）、この下流側の作業から基板３の搬入許可信号が出力されたか否かを判定し（ステップＳ２８）、ＹＥＳと判定された時点で、下流側の作業機に基板３を搬出する（ステップＳ２９）。次いで、基板製造作業が終了したか否かを判定する（ステップＳ３０）。このステップＳ３０でＮＯと判定された場合には、上記ステップＳ２１にリターンして上記作業を繰り返し、上記ステップＳ３０でＹＥＳと判定された時点で基板製造作業を終了する。
【００３４】
このように基板３の搬送ラインに沿って複数の作業機４〜７が配設された実装基板製造装置において、上記搬送ラインの最上流側に設置された作業機（スクリーン印刷機４）に搬入される基板３の品種情報を検出する検出工程と、この検出工程で検出された基板３の品種情報に基づいて各作業機４〜７の段取り替えを行う必要があるか否かを作業機毎４〜７に判定する判定工程と、この判定工程で各作業機４〜７の段取り替えを行う必要があると判定された場合に、各作業機４〜７の段取り替えを行う段取り替え工程とを有する段取り替えを行うように構成したため、各作業機４〜７を統括して制御する上位コンピュータを必要とすることなく、自設備内において基板３の品種に対応した段取り替え作業を適正に実行することができる。
【００３５】
すなわち、上記実施形態のように搬送ラインの最上流側に設置されたスクリーン印刷機４では、品種情報検出手段１により検出された基板３の品種情報に基づいて読み出された新たな基板３に対応した生産プログラム名と、現在使用中のプログラム名とを比較する等により、上記スクリーン印刷機４の段取り替えを行うか否かを判定し、このスクリーン印刷機４の下流側に配設された作業機５〜７では、情報通信手段１２を介して上流側の作業機から送信された基板３の品種情報に基づいて読み出された新たな基板３に対応した生産プログラム名と、現在使用中のプログラム名とを比較する等により、上記スクリーン印刷機４の段取り替えを行うか否かを判定するように構成したため、上位コンピュータを必要とすることなく、新たな品種の基板３に対応した段取り替えを各作業機において適正かつ迅速に実行することができる。したがって、多品種少量生産に適した実装基板製造装置の設備費が高価になるのを防止しつつ、この実装基板製造装置により基板３に対する作業を効率よく実行できるという利点がある。
【００３６】
また、上記実施形態では、自設備内に基板３が存在する場合には、この基板３に対する作業が終了し、かつこの基板３を下流側の作業機に搬出した後に、上記品種情報検出手段１または上流側の作業機から送信された基板３の品種情報に基づいて次に自設備内に搬入される新たな基板３の品種情報に対応したプログラム名を読み出し、このプログラム名と現在の自設備内に存在する基板３の品種情報に対応したプログラム名とが同一であるか否かを判定し、両プログラム名が異なっている場合等に、上記段取り替え機構９を作動させて段取り替えを行うように構成したため、次に自設備内に搬入される新たな基板３に対応した作業を迅速かつ適正に実行することができる。
【００３７】
さらに、上記実施形態では、基板搬送装置内に新たに搬入される基板３の品種を入力手段１１により予約し得るように構成したため、各作業機において基板３に対する作業が行われている間に、作業者が上記入力手段１１を使用することにより予約入力された新たな基板３の品種情報に基づき、自設備の段取り替えを実行する必要があるか否かを迅速かつ適正に判定し、必要な場合には、作業機の段取り替えを速やかに実行することができるという利点がある。
【００３８】
なお、最上流側の基板搬入機２に設けられた品種情報検出手段１により基板３に付されたバーコード等からなるＩＤ情報を読み取ることにより、基板３の品種情報を検出するように構成された上記実施形態に替え、作業者が入力手段１１を操作して基板３の品種情報を入力し、あるいは基板ラックや基板３に付された段取り現品標の品種ＩＤをハンディバーコードリーダ等からなる読取手段で読み取ることにより、最上流側の作業機であるスクリーン印刷機４に搬送される基板３の品種情報を検出するように構成してもよい。例えば入力手段１１による場合は、最上流側の作業機であるスクリーン印刷機４に設けられた操作用モニター等に基板３の品種リストを表示し、入力手段１１を使用して上記品種リストから新たな基板３の品種を選択する等により、最上流側の作業機に搬送される基板３の品種情報が検出されるように構成してもよい。
【００３９】
さらに、上記実施形態では、上記品種情報検出手段１により新たな基板ラックが装着されたことの検出情報あるいは作業者による情報の入力後に、最初の基板３あるいは所定個数の基板３のＩＤ情報を読み取るようにしているが、通過する全ての基板３のＩＤ情報を読み取るようにしてもよい。上記基板３のＩＤ情報に変化がある場合、下流側の作業機の段取り替えを所定のタイミングで実施する。すなわち、ＩＤ情報に変化がある基板３が上記品種情報検出手段１の設置部を通過した後、その基板３が下流側の作業機に搬入される前で、かつ前の品種のうち、最後の基板３が当該作業機から搬出された後に段取り替えが実行される。
【００４０】
また、上記段取り替え制御手段１６から出力される制御信号に応じて段取り替え機構９を作動させることにより、搬送コンベアの設置間隔を変更する等の段取り替えを自動的に実行するように構成された上記実施形態に替え、次に自設備に搬入される新たな基板３の品種に対応した段取り情報と、現時点の段取り情報とが異なる場合に、上記段取り替え制御手段１６から出力される制御信号に応じて報知ブザーまたは報知ランプ等からなる報知手段を作動させ、この報知に基づいて作業者が手動操作により段取り替え機構９を駆動し、あるいは部品供給用のテープフィーダを交換する等の段取り替えを行うように構成してもよい。
【００４１】
さらに、上記実施形態では、はんだ粉末とペースト状フラックスとの混合物からなるソルダーペーストを基板３に対して塗布するスクリーン印刷機４と、部品の実装処理前にクリームはんだ等を基板３上に塗布するディスペンサー５と、ＩＣ、トランジスタまたはコンデンサ等からなる小片状の部品を基板３に対して実装する３台の部品実装機６と、部品実装後の後処理を行うリフロー炉７とからなる複数の作業機が基板３の搬送ラインに沿って順次配列されてなる実装基板製造装置について説明したが、この実施形態に限定されることなく、基板３の搬送ラインに沿って少なくとも部品実装機６が配列されてなる実装基板製造装置について本発明を適用可能であり、例えば複数の部品実装機６のみが配設された実装基板製造装置、またはこの部品実装機６と、上記スクリーン印刷機４、ディスペンサー５、リフロー炉７もしくは基板検査機等からなる作業機の少なくとも一つとが所定の順序で配設された実装基板製造装置等についても本発明を適用可能である。
【図面の簡単な説明】
【００４２】
【図１】本発明の実装基板製造装置の実施形態を示す説明図である。
【図２】最上流側の作業機に設けられた制御ユニットの具体的構成を示すブロック図である。
【図３】下流側の作業機に設けられた制御ユニットの具体的構成を示すブロック図である。
【図４】最上流側の作業機に設けられた制御ユニットにおいて実行される制御動作を示すフローチャートである。
【図５】下流側の作業機に設けられた制御ユニットにおいて実行される制御動作を示すフローチャートである。
【符号の説明】
【００４３】
１  品種情報検出手段
３  基板
４  スクリーン印刷機（最上流側の作業機）
５  ディスペンサー（下流側の作業機）
６  部品実装機（下流側の作業機）
７  リフロー炉（下流側の作業機）
９  段取り替え機構
１２  情報伝送手段
１５  判定手段
１６  段取り替え制御手段
【図１】
2005216957.tif 000003
【図２】
2005216957.tif 000004
【図３】
2005216957.tif 000005
【図４】
2005216957.tif 000006
【図５】
2005216957.tif 000007